(57)【要約】      （修正有）【課題】地震や強風による転倒を防止し、地盤の凍上や不等沈下等による傾きや転倒がなく、安全性が高く、また熱媒パイプをヘッダーに正確にかつ容易に接続作業を行うことができるロードヒーティング用熱源ユニット設置台の提供。【解決手段】底部２及び該底部２に起立する枠状壁部３からなる台本体１は、上部開口がパイプ挿通口４に、内部がパイプ収容部５になっており、上面は熱源ユニット搭載面１Ａになっている。熱源ユニット搭載面１Ａに位置してユニット固定具６が設けてあり、枠状壁部３にはパイプ収容部５に連通するパイプ導入穴８、９、１０が形成してある。台本体１は、熱源ユニット搭載面１Ａを地盤Ｇから露出した状態で地中に埋設して設置する。【選択図】図３
0003111863.tif 000002
【実用新案登録請求の範囲】
【請求項１】
板状の底部及び該底部に起立する枠状壁部から構成し、上部開口はパイプ挿通口に、内部はパイプ収容部になり、上面は熱源ユニット搭載面になった台本体と、該台本体に設けたユニット固定手段と、前記台本体の枠状壁部に形成され、前記パイプ収容部に連通するパイプ導入穴とから構成し、前記熱源ユニット搭載面を地盤から露出した状態で地中に埋設して設置するようにしてなるロードヒーティング用熱源ユニット設置台。
【請求項２】
板状の底部及び該底部に起立する枠状壁部から構成し、上部開口はパイプ挿通口に、内部はパイプ収容部になり、上面は熱源ユニット搭載面になった台本体と、該台本体に設けたユニット固定手段と、敷設する熱媒パイプの回路数に応じて前記台本体の枠状壁部に形成され、前記パイプ収容部に連通するパイプ導入穴とから構成し、前記熱源ユニット搭載面を地盤から露出した状態で地中に埋設して設置するようにしてなるロードヒーティング用熱源ユニット設置台。
【請求項３】
前記パイプ導入穴は、内面を凸状湾曲面に形成してあることを特徴とする請求項１又は２記載のロードヒーティング用熱源ユニット設置台。
【考案の詳細な説明】
【技術分野】
【０００１】
本考案は、ロードヒーティング用熱源ユニットを安定性よく設置できると共に、多数本の熱媒パイプを効率よく接続処理することができるので作業性に優れているロードヒーティング用熱源ユニット設置台に関する。
【背景技術】
【０００２】
ロードヒーティング用熱源ユニット５１（以下、熱源ユニット５１と略称する。）は、図３に示すように箱型のケーシング５２内に温水循環ポンプ５３とボイラー５４を格納し、循環ポンプ５３には送りヘッダー５５を接続し、ボイラー５４には戻りヘッダー５６を接続し、図示しない降雪センサ制御部、ボイラー操作リモコン等の機器を組み付けた構成からなっている。
【０００３】
上述した熱源ユニット５１を設置する手順は、地盤Ｇに複数本の温水パイプ６１を敷設し、流入側である一端側６１Ａと流出側である他端側６１Ｂの各々を地上に立ち上げた状態にしておき、温水パイプ６１の近傍にある建屋等の傍の地盤Ｇを整地して一対のコンクリートブロックを並べて配置し、このコンクリートブロックの上に熱源ユニット５１を載置して温水パイプ６１の一端側６１Ａを送りヘッダー５５に、他端側６１Ｂを戻りヘッダー５６に夫々接続するようになっている。なお、熱源ユニットに相当するボイラーを、断熱基礎で形成した床下空間部に設置する技術が知られているが（特許文献１）、屋内の技術に関するものであるし、温水パイプ等の熱媒パイプの敷設を伴うものではない。
【特許文献１】特開２００２−１３９２２８号公報
【考案の開示】
【考案が解決しようとする課題】
【０００４】
上述した従来の熱源ユニット５１は、地盤Ｇ上に並べた一対のコンクリートブロックの上に何ら固定しないで単に載せた状態で設置しているため、地震や強風によって転倒する事故が発生したり、地盤の凍上や不等沈下によって傾いたり、転倒する事故が発生しており、安全性に欠けると共に、機器の損傷や作動停止を招くという問題点がある。
【０００５】
また、複数本の温水パイプ６１の各々が回路を構成しており、回路数が多いとヘッダー５５、５６に接続する本数は１０本以上にもなることから、回路を間違えることなく送りヘッダー５５、戻り５６に接続する作業は極めて面倒で作業時間を要するという問題があるし、接続を間違えた場合には熱源ユニット５１は作動しない事態にもなる。
【０００６】
本考案は上述した従来技術の諸欠点や問題点に鑑みなされたもので、安定性に優れているので地震や強風による転倒を防止できるし、地盤の凍上や不等沈下等による傾きや転倒がないので安全性が高く、また熱媒パイプを接続間違いすることなくヘッダーに正確にかつ容易に接続作業を行うことができるので作業効率の向上と作業の正確性を確保できるロードヒーティング用熱源ユニット設置台を提供することを目的とする。
【課題を解決するための手段】
【０００７】
上述した課題を解決するために構成された請求項１に係る考案の手段は、板状の底部及び該底部に起立する枠状壁部から構成し、上部開口はパイプ挿通口に、内部はパイプ収容部になり、上面は熱源ユニット搭載面になった台本体と、該台本体に設けたユニット固定手段と、前記台本体の枠状壁部に形成され、前記パイプ収容部に連通するパイプ導入穴とから構成し、前記熱源ユニット搭載面を地盤から露出した状態で地中に埋設して設置するようにしたものからなる。
【０００８】
また、請求項２に係る考案は、板状の底部及び該底部に起立する枠状壁部から構成し、上部開口はパイプ挿通口に、内部はパイプ収容部になり、上面は熱源ユニット搭載面になった台本体と、該台本体に設けたユニット固定手段と、敷設する熱媒パイプの回路数に応じて前記台本体の枠状壁部に形成され、前記パイプ収容部に連通するパイプ導入穴とから構成し、前記熱源ユニット搭載面を地盤から露出した状態で地中に埋設して設置するようにしたものからなる。こうすることにより、回路を間違えることなく熱媒パイプをヘッダーに接続することができる。
【０００９】
また、前記パイプ導入穴は、内面を凸状湾曲面に形成するとよい。こうすることにより、台本体内に引き込む際の熱媒パイプに対する摺動抵抗を小さくできるし、損傷を防止することができる。
【考案の効果】
【００１０】
本考案は以上詳述した如く構成したから、下記の諸効果を奏する。
（１）熱源ユニットを搭載する台本体は、熱源ユニット搭載面を露出した状態で地盤に埋設して設置し、かつユニット固定具により熱源ユニットを固定する構成にしたから、地震や強風によって熱源ユニットが転倒するのを防止できるし、熱源ユニットと共に台本体が転倒することもなく、安全性に優れていると共に、機器の損傷を防止し、運転停止の事態を予防できる。
（２）パイプ導入穴は、熱媒パイプの回路数に応じて形成し、各パイプ導入穴に回路毎の熱媒パイプを導入するようにしたから、各熱媒パイプをヘッダーに間違えることなく接続できると共に、接続作業を効率よく行うことができる。
（３）パイプ導入穴は内面を凸状湾曲面に形成したから、熱媒パイプを台本体のパイプ収容部に引き込む際の摺動抵抗を小さくして作業性を高めることができるし、熱媒パイプが摩擦によって損傷するのを防止することができる。
【考案を実施するための最良の形態】
【００１１】
以下、本考案の実施の形態を図面に基づき詳述する。図において、１は熱源ユニット５１を搭載する台本体を示す。２は該台本体１を構成する底部で、該底部２は下面２Ａを平坦面に、上面２Ｂを段付き面に形成した略長方形のコンクリート製平板からなっている。３は台本体１を構成し、該底部２上に嵌合して固着することにより立設するコンクリート製の枠状壁部で、該枠状壁部３は前、後壁板３Ａ、３Ｂ、及び左、右壁板３Ｃ、３Ｄから四角筒状に形成してある。かくして、台本体１は上部開口をパイプ挿通口４とし、内部をパイプ収容部５とする有底の箱状に構成してあり、上面は熱源ユニット搭載面１Ａになっている。なお、底部２と枠状壁部３は分離して成形し、現場で組み付けて固着する構成にしてあるが、一体に成形してもよい。
【００１２】
６、６、・・は台本体１の熱源ユニット搭載面１Ａの四隅に埋設して設けたユニット固定用インサートで、該ユニット固定用インサート６、６・・に螺合する取付ボルトを介して熱源ユニット５１を台本体１に固定するようにしてある。また、左、右壁板３Ｃ、３Ｄの内面上部には吊下げ用インサート７、７が対向して埋設してある。
【００１３】
８、９、１０は温水パイプ６１の回路数に対応して前記台本体１の前壁板３Ａに横方向に離間して形成した第１、第２及び第３のパイプ導入穴で、該パイプ導入穴８、９、１０（以下、場合によりパイプ導入穴８と総称す。）は鼓状の金属製或いは合成樹脂製スリーブを挿装することによって内面は凸状湾曲面８Ａ、９Ａ、１０Ａにしてある。このようにパイプ導入穴８の内面を凸状湾曲面８Ａにすることにより、温水パイプ６１を引き込む際の摺動抵抗を小さくできるので作業性を向上できるし、温水パイプ６１が損傷する事態を解消することができる。なお、本実施の形態では３個のパイプ導入穴８、９、１０を形成したが、パイプ導入穴８は温水パイプ６１の本数、即ち回路数に応じて設けるものである。
【００１４】
本実施の形態は上述の構成からなり、温水パイプ６１を敷設する近傍で熱源ユニット５１を設置する地盤Ｇを掘削し、熱源ユニット搭載面１Ａが露出する程度まで台本体１を埋設する。次いで、第１の回路を構成する温水パイプ６１を敷設し、その両端側６１Ａ、６１Ｂを台本体１の第１のパイプ導入穴８からパイプ収容部５内に引き込んで上方に引き上げておく。
【００１５】
同様にして、第２の回路を構成する温水パイプ６１、第３の回路を構成する温水パイプ６１を順次敷設し、その両端側６１Ａ、６１Ｂを第２のパイプ導入穴９、第３のパイプ導入穴１０から夫々パイプ収容部５に引き込む。しかる後、各回路を構成する温水パイプ６１、６１、６１の一端側６１Ａを送りヘッダー５５に接続し、他端側６１Ｂを戻りヘッダー６１Ｂに接続する。  
【００１６】
このように、回路毎の温水パイプ６１を各々のパイプ導入穴８、９、１０からパイプ収容部５に引き込むことにより各々の回路の温水パイプ６１を明確にすることができるから、送りヘッダー５５及び戻りヘッダー５６に正確に、速やかに接続することができる。最後に、台本体１の周囲に土を戻して固めることにより、熱源ユニット設置台上にロードヒーティング用熱源ユニットを設置する工事が完了する。
【００１７】
なお、本実施の形態では台本体１はコンクリートにより成形したが、合成樹脂材、防錆処理を施した金属材により成形してもよいものである。
【図面の簡単な説明】
【００１８】
【図１】図１は本考案の実施の形態に係るロードヒーティング用熱源ユニット設置台の外観斜視図である。
【図２】熱源ユニット設置台の一部を破断して示す平面図である。
【図３】熱源ユニット設置台の縦断面図である。
【符号の説明】
【００１９】
１        台本体
１Ａ      熱源ユニット搭載面
２        底部
３        枠状壁部
４        パイプ挿通口
５        パイプ収容部
６        ユニット固定用インサート
８、９、１０  パイプ導入穴
８Ａ、９Ａ、１０Ａ  凸状湾曲面
５１      ロードヒーティング用熱源ユニット
【図１】
0003111863.tif 000003
【図２】
0003111863.tif 000004
【図３】
0003111863.tif 000005